(57)【要約】【課題】映像コンテンツを視聴状況に応じた配信方式で配信する映像配信サーバ等を提供する。【解決手段】映像コンテンツを、異なる配信方式で、複数のクライアントへ送信可能な映像配信サーバにおいて、映像コンテンツ毎に、複数のクライアントにおける視聴状況情報を取得する視聴状況取得手段と、全ての映像コンテンツの視聴状況情報に対する各映像コンテンツの視聴状況情報に基づいて、各映像コンテンツを優先度順にソートする映像優先度算出手段と、映像コンテンツ毎に、各映像コンテンツの優先度に応じて、配信方式を選択する配信方式選択手段と、映像コンテンツ毎に、選択された配信方式によって配信する映像配信手段とを有する。【選択図】図２
2020010101.tif 000002
【特許請求の範囲】
【請求項１】
映像コンテンツを、異なる配信方式で、複数のクライアントへ送信可能な映像配信サーバにおいて、
映像コンテンツ毎に、複数のクライアントにおける視聴状況情報を取得する視聴状況取得手段と、
全ての映像コンテンツの視聴状況情報に対する各映像コンテンツの視聴状況情報に基づいて、各映像コンテンツを優先度順にソートする映像優先度算出手段と、
映像コンテンツ毎に、各映像コンテンツの優先度に応じて、前記配信方式を選択する配信方式選択手段と、
映像コンテンツ毎に、選択された前記配信方式によって配信する映像配信手段と
を有することを特徴とする映像配信サーバ。
【請求項２】
前記視聴状況情報は、各映像コンテンツの視聴率及び／又は視聴時間に基づく
ことを特徴とする請求項１に記載の映像配信サーバ。
【請求項３】
映像コンテンツの属性毎に、視聴状況情報を予め対応付けており、
前記視聴状況情報は、各映像コンテンツの属性に基づく
ことを特徴とする請求項１又は２に記載の映像配信サーバ。
【請求項４】
当該映像配信サーバから各クライアントへの所定伝送路の輻輳状態毎に、視聴状況情報を予め対応付けており、
前記視聴状況情報は、各映像コンテンツの所定伝送路の輻輳状態に基づく
ことを特徴とする請求項１から３のいずれか１項に記載の映像配信サーバ。
【請求項５】
前記視聴状況情報は、各映像コンテンツの配信緊急度に基づく
ことを特徴とする請求項１から４のいずれか１項に記載の映像配信サーバ。
【請求項６】
前記配信方式は、放送配信方式及び通信配信方式であり、
前記配信方式選択手段は、所定条件で、優先度が高い映像コンテンツに対して放送配信方式を選択し、優先度が低い映像コンテンツに対して通信配信方式を選択する
ことを特徴とする請求項１から５のいずれか１項に記載の映像配信サーバ。
【請求項７】
前記配信方式は、品質の異なるメディアフォーマットであり、
前記配信方式選択手段は、所定条件で、優先度が高い映像コンテンツに対して高品質メディアフォーマットを選択し、優先度が低い映像コンテンツに対して低品質メディアフォーマットを選択する
ことを特徴とする請求項１から５のいずれか１項に記載の映像配信サーバ。
【請求項８】
前記配信方式は、放送配信方式及び通信配信方式と、品質の異なるメディアフォーマットとが混在したものであり、
前記配信方式選択手段は、所定条件で、優先度が高い映像コンテンツに対して放送配信方式で且つ高品質メディアフォーマットを選択し、優先度が低い映像コンテンツに対して通信配信方式で且つ低品質メディアフォーマットを選択する
ことを特徴とする請求項１から５のいずれか１項に記載の映像配信サーバ。
【請求項９】
前記放送配信方式は、ブロードキャスト方式であり、
前記通信配信方式は、マルチキャスト方式及び／又はユニキャスト方式である
ことを特徴とする請求項６又は８に記載の映像配信サーバ。
【請求項１０】
前記ブロードキャスト方式は、広域無線放送方式であり、
前記マルチキャスト方式及び／又はユニキャスト方式は、ＩＰ(Internet Protocol)通信方式である
ことを特徴とする請求項９に記載の映像配信サーバ。
【請求項１１】
前記メディアフォーマットは、解像度、コーデック、変調度のいずれか１つ以上の異なるものである
ことを特徴とする請求項７又は８のいずれか１項に記載の映像配信サーバ。
【請求項１２】
前記配信方式は、選局情報によって特定されるものであり、
各映像コンテンツの選局情報が記述されたＮＩＴ(Network Information Table)を含むＰＳＩ(Program Specific Information)情報を、クライアントへ配信する選局情報配信手段を
更に有することを特徴とする請求項６から１１のいずれか１項に記載の映像配信サーバ。
【請求項１３】
前記配信方式毎に、基準点が対応付けられており、
全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段を更に有し、
前記配信方式選択手段は、前記視聴者満足度が所定条件で変化した際に、各映像コンテンツの配信方式を選択する
ことを特徴とする請求項１から１２のいずれか１項に記載の映像配信サーバ。
【請求項１４】
前記配信方式選択手段は、前記所定条件として、第１の時点の視聴者満足度と、連続する第２の時点の視聴者満足度との差分絶対値が、所定閾値以上となった際に、各映像コンテンツの配信方式を更新する
ことを特徴とする請求項１３に記載の映像配信サーバ。
【請求項１５】
映像コンテンツを、異なる配信方式で、複数のクライアントへ送信可能なサーバに搭載されたコンピュータを機能させるプログラムにおいて、
映像コンテンツ毎に、複数のクライアントにおける視聴状況情報を取得する視聴状況取得手段と、
全ての映像コンテンツの視聴状況情報に対する各映像コンテンツの視聴状況情報に基づいて、各映像コンテンツを優先度順にソートする映像優先度算出手段と、
映像コンテンツ毎に、各映像コンテンツの優先度に応じて、前記配信方式を選択する配信方式選択手段と、
映像コンテンツ毎に、選択された前記配信方式によって配信する映像配信手段と
してコンピュータを機能させることを特徴とする映像配信プログラム。
【請求項１６】
映像コンテンツを、異なる配信方式で、複数のクライアントへ送信可能な装置の映像配信装置において、
前記装置は、
映像コンテンツ毎に、複数のクライアントにおける視聴状況情報を取得する第１のステップと、
全ての映像コンテンツの視聴状況情報に対する各映像コンテンツの視聴状況情報に基づいて、各映像コンテンツを優先度順にソートする第２のステップと、
映像コンテンツ毎に、各映像コンテンツの優先度に応じて、前記配信方式を選択する第３のステップと、
映像コンテンツ毎に、選択された前記配信方式によって配信する第４のステップと
を実行することを特徴とする装置の映像配信方法。
【発明の詳細な説明】
【技術分野】
【０００１】
本発明は、放送通信連携システムについて、映像コンテンツを配信する映像配信サーバの技術に関する。
【背景技術】
【０００２】
地上波／ＢＳ・ＣＳ放送については、現在、ＨＤ(High Definition)／ＳＤ(Standard Definition)画質で配信されているが、今後、４Ｋ／８Ｋ放送が開始される。それに応じて、ケーブルテレビやインターネットテレビについても、４Ｋ放送が期待されることとなる。
【０００３】
従来、放送及び通信を選択する技術として、例えば受信装置が、データの受信状況に応じて、送信装置からの通信経路を選択する技術がある（例えば特許文献１参照）。この技術によれば、受信装置は、放送波によって受信するデータにエラーが発生した場合、その再送要求を双方向通信路を介して送信装置へ送信する。そして、受信装置は、その送信装置から、双方向通信路を介して再送データを受信する。これは、受信装置が、放送波又は通信経路を選択して、データを受信するものである。
【０００４】
また、放送経路と通信経路とをユーザが自由に選択可能とするシステムもある（例えば特許文献２参照）。この技術によれば、放送経路を介して放送後の番組について、通信経路を介してその番組のダイジェストを配信可能状態とする。現在放送中の番組、又は、過去に放送された番組を、ユーザが意識することなくシームレスに選択できる。
【０００５】
尚、ユーザの視聴率に基づく他の従来技術として、放送・通信の複数の番組を同時に受信する受信装置について、録画番組の再生時に、視聴率の高いものを強調して画面表示するものもある（例えば特許文献３参照）。この技術によれば、受信装置が、視聴率管理サーバから視聴率情報を受信し、その視聴率情報に基づいて録画番組を再生表示する。
【先行技術文献】
【特許文献】
【０００６】
【特許文献１】特開２００２−２３２４７８号公報
【特許文献２】特開２００４−１９３９２０号公報
【特許文献３】特開２０１１−１８２２７５号公報
【発明の概要】
【発明が解決しようとする課題】
【０００７】
前述したいずれの従来技術も、受信装置が主導で、送信装置から映像コンテンツを受信する放送経路と通信経路とを切り替えるものである。
即ち、送信装置が主導で、放送経路と通信経路とをシームレスに切り替えて、映像コンテンツを配信することを前提としたものではない。勿論、映像コンテンツを、異なる品質のメディアフォーマットで切り替えて配信することができるものでもない。
しかしながら、４Ｋの映像コンテンツの配信を考慮すると、伝送路帯域の効率的利用が重要となる。特に放送及び通信を連携させて映像コンテンツを配信する場合、送信装置が主導で、伝送経路を選択する必要がある。
【０００８】
これに対し、本願の発明者らは、映像コンテンツ毎に配信方式（放送通信の切替、及び／又はメディアフォーマットの切替）を予め設定するのでなく、ユーザの視聴状況に応じて映像コンテンツの配信方式を切り替えるべきではないか、と考えた。
即ち、伝送帯域の効率的利用を考慮した場合、多数のユーザに視聴されている映像コンテンツほど、放送経路を介してブロードキャストで配信すべきであり、逆に、少数のユーザにしか視聴されていない映像コンテンツほど、通信経路を介して配信すべきではないか、と考えた。少数のユーザしか視聴されていない映像コンテンツを放送波で配信することは、放送波の帯域の有効利用の観点から好ましくない。
一方で、ケーブルテレビやインターネットテレビのように通信経路の場合、映像配信サーバ及び中継装置は、端末毎にセッションを確立しなければならない。そのために、多数のユーザに視聴されている映像コンテンツほど、端末との間で多数のセッションを確立し、個別に伝送する必要がある。この場合、通信路のボトルネックとなる伝送路では、特定の映像コンテンツによって輻輳を生じる恐れがある。このような映像コンテンツほど、本来、放送波によって配信することによって、伝送帯域の効率的利用を実現することができる。
【０００９】
そこで、本発明は、映像コンテンツを視聴状況に応じた配信方式で配信する映像配信サーバ、プログラム及び方法を提供することを目的とする。
【課題を解決するための手段】
【００１０】
本発明によれば、映像コンテンツを、異なる配信方式で、複数のクライアントへ送信可能な映像配信サーバにおいて、
映像コンテンツ毎に、複数のクライアントにおける視聴状況情報を取得する視聴状況取得手段と、
全ての映像コンテンツの視聴状況情報に対する各映像コンテンツの視聴状況情報に基づいて、各映像コンテンツを優先度順にソートする映像優先度算出手段と、
映像コンテンツ毎に、各映像コンテンツの優先度に応じて、配信方式を選択する配信方式選択手段と、
映像コンテンツ毎に、選択された配信方式によって配信する映像配信手段と
を有することを特徴とする。
【００１１】
本発明の映像配信サーバにおける他の実施形態によれば、
視聴状況情報は、各映像コンテンツの視聴率及び／又は視聴時間に基づく
ことも好ましい。
【００１２】
本発明の映像配信サーバにおける他の実施形態によれば、
映像コンテンツの属性毎に、視聴状況情報を予め対応付けており、
視聴状況情報は、各映像コンテンツの属性に基づく
ことも好ましい。
【００１３】
本発明の映像配信サーバにおける他の実施形態によれば、
当該映像配信サーバから各クライアントへの所定伝送路の輻輳状態毎に、視聴状況情報を予め対応付けており、
視聴状況情報は、各映像コンテンツの所定伝送路の輻輳状態に基づく
ことも好ましい。
【００１４】
本発明の映像配信サーバにおける他の実施形態によれば、
視聴状況情報は、各映像コンテンツの配信緊急度に基づく
ことも好ましい。
【００１５】
本発明の映像配信サーバにおける他の実施形態によれば、
配信方式は、放送配信方式及び通信配信方式であり、
配信方式選択手段は、所定条件で、優先度が高い映像コンテンツに対して放送配信方式を選択し、優先度が低い映像コンテンツに対して通信配信方式を選択することも好ましい。
【００１６】
本発明の映像配信サーバにおける他の実施形態によれば、
配信方式は、品質の異なるメディアフォーマットであり、
配信方式選択手段は、所定条件で、優先度が高い映像コンテンツに対して高品質メディアフォーマットを選択し、優先度が低い映像コンテンツに対して低品質メディアフォーマットを選択することも好ましい。
【００１７】
本発明の映像配信サーバにおける他の実施形態によれば、
配信方式は、放送配信方式及び通信配信方式と、品質の異なるメディアフォーマットとが混在したものであり、
配信方式選択手段は、所定条件で、優先度が高い映像コンテンツに対して放送配信方式で且つ高品質メディアフォーマットを選択し、優先度が低い映像コンテンツに対して通信配信方式で且つ低品質メディアフォーマットを選択することも好ましい。
【００１８】
本発明の映像配信サーバにおける他の実施形態によれば、
放送配信方式は、ブロードキャスト方式であり、
通信配信方式は、マルチキャスト方式及び／又はユニキャスト方式であることも好ましい。
【００１９】
本発明の映像配信サーバにおける他の実施形態によれば、
ブロードキャスト方式は、広域無線放送方式であり、
マルチキャスト方式及び／又はユニキャスト方式は、ＩＰ(Internet Protocol)通信方式であることも好ましい。
【００２０】
本発明の映像配信サーバにおける他の実施形態によれば、
メディアフォーマットは、解像度、コーデック、変調度のいずれか１つ以上の異なるものであることも好ましい。
【００２１】
本発明の映像配信サーバにおける他の実施形態によれば、
配信方式は、選局情報によって特定されるものであり、
各映像コンテンツの選局情報が記述されたＮＩＴ(Network Information Table)を含むＰＳＩ(Program Specific Information)情報を、クライアントへ配信する選局情報配信手段を
更に有することも好ましい。
【００２２】
本発明の映像配信サーバにおける他の実施形態によれば、
配信方式毎に、基準点が対応付けられており、
全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段を更に有し、
配信方式選択手段は、視聴者満足度が所定条件で変化した際に、各映像コンテンツの配信方式を選択する
ことも好ましい。
【００２３】
本発明の映像配信サーバにおける他の実施形態によれば、
配信方式選択手段は、所定条件として、第１の時点の視聴者満足度と、連続する第２の時点の視聴者満足度との差分絶対値が、所定閾値以上となった際に、各映像コンテンツの配信方式を更新することも好ましい。
【００２４】
本発明によれば、映像コンテンツを、異なる配信方式で、複数のクライアントへ送信可能なサーバに搭載されたコンピュータを機能させるプログラムにおいて、
映像コンテンツ毎に、複数のクライアントにおける視聴状況情報を取得する視聴状況取得手段と、
全ての映像コンテンツの視聴状況情報に対する各映像コンテンツの視聴状況情報に基づいて、各映像コンテンツを優先度順にソートする映像優先度算出手段と、
映像コンテンツ毎に、各映像コンテンツの優先度に応じて、配信方式を選択する配信方式選択手段と、
映像コンテンツ毎に、選択された配信方式によって配信する映像配信手段と
してコンピュータを機能させることを特徴とする。
【００２５】
本発明によれば、映像コンテンツを、異なる配信方式で、複数のクライアントへ送信可能な装置の映像配信装置において、
装置は、
映像コンテンツ毎に、複数のクライアントにおける視聴状況情報を取得する第１のステップと、
全ての映像コンテンツの視聴状況情報に対する各映像コンテンツの視聴状況情報に基づいて、各映像コンテンツを優先度順にソートする第２のステップと、
映像コンテンツ毎に、各映像コンテンツの優先度に応じて、配信方式を選択する第３のステップと、
映像コンテンツ毎に、選択された配信方式によって配信する第４のステップと
を実行することを特徴とする。
【発明の効果】
【００２６】
本発明の映像配信サーバ、プログラム及び方法によれば、映像コンテンツを視聴状況に応じた配信方式で配信することができる。
【図面の簡単な説明】
【００２７】
【図１】本発明におけるシステム構成図である。
【図２】本発明における映像配信サーバの機能構成図である。
【図３】映像配信サーバの視聴状況取得部によって取得される情報テーブルの例である。
【図４】視聴率・視聴時間に基づいて映像コンテンツを優先度順にソートした説明図である。
【図５】属性に基づいて映像コンテンツを優先度順にソートした説明図である。
【図６】伝送路輻輳に基づいて映像コンテンツを優先度順にソートした説明図である。
【図７】映像コンテンツの配信方式の変更経過を表す第１の説明図である。
【図８】映像コンテンツの配信方式の変更経過を表す第２の説明図である。
【図９】映像コンテンツの配信方式の変更経過を表す第３の説明図である。
【図１０】映像コンテンツの配信方式の変更経過を表す第４の説明図である。
【図１１】映像コンテンツの配信方式の変更経過を表す第５の説明図である。
【図１２】視聴者満足度の算出方法を表す説明図である。
【図１３】視聴者満足度に基づく配信方式の更新タイミングを表す説明図である。
【発明を実施するための形態】
【００２８】
以下、本発明の実施の形態について、図面を用いて詳細に説明する。
【００２９】
図１は、本発明におけるシステム構成図である。
【００３０】
図１のシステムによれば、映像配信サーバ１と、放送配信装置２と、通信配信装置３と、映像データベース４と、セットトップボックス（クライアント）５と、視聴率管理装置６と、伝送路輻輳管理装置７とによって構成されている。
【００３１】
［映像配信サーバ１］
映像配信サーバ１は、複数の映像コンテンツをそれぞれ、「異なる配信方式」で、セットトップボックス５へ送信する。本発明の映像配信サーバ１は、映像コンテンツ毎に、放送配信装置２及び通信配信装置３のいずれかを介して、セットトップボックス５へ配信する。
尚、配信される映像コンテンツは、ＴＳ(Transport Stream)パケットレベルで多重化されたマルチキャストストリームである。
【００３２】
［放送配信装置２］
放送配信装置２は、映像配信サーバ１から受信した映像コンテンツを、放送配信方式で、セットトップボックス５へ配信する。放送配信方式としては、例えば地上波／ＢＳ・ＣＳと、８Ｋ／４Ｋ／２Ｋ（メディアフォーマット）と組み合わせの選択肢がある。
【００３３】
［通信配信装置３］
通信配信装置３は、映像配信サーバ１から受信した映像コンテンツを、通信配信方式で、セットトップボックス５へ配信する。通信配信方式としては、例えばマルチキャスト方式又はユニキャスト方式と、４Ｋ／２Ｋ／ＳＤ（メディアフォーマット）と組み合わせの選択肢がある。
【００３４】
［映像データベース４］
映像データベース４は、配信方式に拘わらず、地上波／ＢＳ・ＣＳの放送番組や、ケーブルテレビやインターネットテレビで配信される番組も混在して蓄積する。各映像コンテンツをいずれの配信方式によって配信するかは、映像配信サーバ１によって選択される。
また、映像データベース４に蓄積される映像コンテンツには、コンテンツ属性（例えば内容）や制作時期（例えば何時間前に制作されたか）も対応付けて記憶されている。
【００３５】
［セットトップボックス（クライアント）５］
セットトップボックス５は、例えば家庭内に設置されており、複数の映像コンテンツを受信する。セットトップボックス５は、放送配信装置２から放送波を介して映像コンテンツを受信すると共に、通信配信装置３からネットワークを介して映像コンテンツを受信する。そして、ユーザのチャネル切り替えによって、ユーザ所望の映像コンテンツのみがテレビに出力される。
【００３６】
［視聴率管理装置６］
視聴率管理装置６は、ユーザが視聴しているチャネル（映像コンテンツ）の視聴情報を、セットトップボックス５から収集する。視聴情報とは、視聴された映像コンテンツの視聴開始日時及び終了日時である。具体的には、視聴率管理装置６は、セットトップボックス５との間で、メッセージ伝送用プロトコル(BBR TR-069)によって、視聴情報を取得する。
そして、視聴率管理装置６は、多数のセットトップボックス５から取得した視聴情報に基づいて、映像コンテンツ毎の視聴率及び視聴時間を導出することができる。
【００３７】
［伝送路輻輳管理装置７］
伝送路輻輳管理装置７は、映像コンテンツを受信している伝送経路情報を、セットトップボックス５から収集する。伝送経路情報とは、セットトップボックス５が通信配信装置３から映像コンテンツを受信した経路情報（例えば中継されたルータ）である。
そして、伝送路輻輳管理装置７は、多数のセットトップボックス５から取得した経路情報に基づいて、映像コンテンツ毎に、ボトルネックとなる所定伝送路における輻輳状態を導出することができる。
【００３８】
図２は、本発明における映像配信サーバの機能構成図である。
【００３９】
図２によれば、映像配信サーバ１は、映像コンテンツを、異なる配信方式で、複数のセットトップボックス（クライアント）５へ送信可能なものである。
映像配信サーバ１は、視聴率状況取得部１１と、映像優先度算出部１２と、配信方式選択部１３と、映像配信部１４と、選局情報配信部１５と、視聴者満足度算出部１６とを有する。これら機能構成部は、サーバに搭載されたコンピュータを機能させるプログラムを実行することによって実現される。勿論、これら機能構成部の処理の流れは、映像配信方法としても理解できる。
【００４０】
［視聴率状況取得部１１］
視聴率状況取得部１１は、映像コンテンツ毎に、複数のセットトップボックス５における「視聴状況情報」を、外部装置から取得する。視聴状況情報は、外部装置によって、多数のセットトップボックス５やネットワーク装置から収集された情報に基づくものである。
【００４１】
視聴状況情報としては、例えば以下の４つの実施形態がある。
＜視聴率・視聴時間＞
＜コンテンツ属性＞
＜伝送路輻輳＞
＜配信緊急度＞
【００４２】
図３は、映像配信サーバの視聴状況取得部によって取得される情報テーブルの例である。
図３によれば、現在の放送通信方式におけるチャネル毎に、視聴率、視聴時間、コンテンツ属性、伝送路輻輳、及び、配信緊急度が対応付けられている。
【００４３】
＜視聴率・視聴時間＞
視聴状況情報は、各映像コンテンツの視聴率及び／又は視聴時間に基づくものであってよい。
映像コンテンツ毎の視聴率及び／又は視聴時間は、視聴率管理装置６から受信する。
【００４４】
＜コンテンツ属性＞
視聴状況情報は、各映像コンテンツの属性に基づくものであってもよい。この場合、映像コンテンツの属性毎に、視聴状況情報を予め対応付けておく。例えば属性「ニュース」の映像コンテンツは、視聴状況情報として比較的高く設定しておき、属性「通信販売」の映像コンテンツは、視聴状況情報として比較的低く設定しておくこともできる。
映像コンテンツ毎の属性は、映像データベース４から受信する。
【００４５】
＜伝送路輻輳＞
視聴状況情報は、各映像コンテンツの所定伝送路の輻輳状態に基づくものであってもよい。この場合、当該映像配信サーバ１からセットトップボックス５への所定伝送路の輻輳状態毎に、視聴状況情報を予め対応付けておく。
ここで、「所定伝送路」とは、通信配信装置３が直接的に接続される伝送路であってもよいし、予め特定されたボトルネックとなる伝送路であってもよい。例えば所定伝送路の伝送容量のうち、特定の映像コンテンツの伝送容量が占める割合を、輻輳状態の割合(%)によって表すものであってもよい。
映像コンテンツ毎の所定伝送路の輻輳状態は、伝送路輻輳管理装置７から受信する。
【００４６】
＜配信緊急度＞
視聴状況情報は、各映像コンテンツの配信緊急度に基づくものであってもよい。
例えば国民全員が至急知り得る必要のある映像コンテンツ（例えば地震被害状況など）は、最高の配信緊急度とする。これは、オペレータによって設定されることが好ましい。
【００４７】
勿論、視聴状況情報は、前述した４つの要素（視聴率・視聴時間、コンテンツ属性、伝送路輻輳、配信緊急度）の全て又はいずれかの組み合わせに基づくものであってもよい。
【００４８】
［映像優先度算出部１２］
映像優先度算出部１２は、全ての映像コンテンツの視聴状況情報に対する各映像コンテンツの視聴状況情報に基づいて、各映像コンテンツを優先度順にソートする。
【００４９】
図４は、視聴率・視聴時間に基づいて映像コンテンツを優先度順にソートした説明図である。
図４（ａ）によれば、視聴率が高い映像コンテンツほど、高い優先度となる。
図４（ｂ）によれば、視聴時間が高い映像コンテンツほど、高い優先度となる。
尚、図４によれば、高い配信緊急度が付与された映像コンテンツは、視聴率・視聴時間に拘わらず、最高優先度となっている。
【００５０】
図５は、属性に基づいて映像コンテンツを優先度順にソートした説明図である。
図５によれば、コンテンツ属性として、カテゴリ毎に及び制作時期毎に、配信レベルＡ〜Ｅが対応付けられている。カテゴリとしては、例えば「地震」については配信レベルが高く、「地域宣伝」については配信レベルが低く対応付けられている。また、制作時期としては、例えば「３時間前」については配信レベルが高く、「１年以前」については配信レベルが低く対応付けられている。
これによって、コンテンツ属性全体の配信レベルが高い映像コンテンツほど、高い優先度となる。
尚、図５によれば、高い配信緊急度が付与された映像コンテンツは、コンテンツ属性に拘わらず、最高優先度となっている。
【００５１】
図６は、伝送路輻輳に基づいて映像コンテンツを優先度順にソートした説明図である。
図６によれば、所定伝送路の輻輳割合が高い映像コンテンツほど、高い優先度となる。
尚、図６によれば、高い配信緊急度が付与された映像コンテンツは、伝送路輻輳に拘わらず、最高優先度となっている。
【００５２】
［配信方式選択部１３］
配信方式選択部１３は、映像コンテンツ毎に、各映像コンテンツの優先度に応じて、配信方式を選択する。「配信方式」としては、以下のように３つの実施形態がある。
＜放送・通信の切替＞
＜メディアフォーマットの切替＞
＜放送・通信及びメディアフォーマットの切替＞
【００５３】
＜放送・通信の切替＞
放送通信連携システムによれば、配信方式は、放送配信方式及び通信配信方式である。
配信方式選択部１３は、優先度が高い映像コンテンツに対して放送配信方式を選択し、優先度が低い映像コンテンツに対して通信配信方式を選択する。
放送配信方式は、ブロードキャスト方式であり、例えば広域無線（ＲＦ）放送方式である。
通信配信方式は、マルチキャスト方式及び／又はユニキャスト方式であり、ＩＰ(Internet Protocol)通信方式である。
【００５４】
＜メディアフォーマットの切替＞
また、配信方式は、品質の異なるメディアフォーマットであってもよい。メディアフォーマットは、解像度、コーデック、変調度のいずれか１つ以上の異なるものである。例えば、８Ｋ、４Ｋ、２Ｋ、ＳＤの違いであってもよい。
配信方式選択部１３は、優先度が高い映像コンテンツに対して高品質メディアフォーマットを選択し、優先度が低い映像コンテンツに対して低品質メディアフォーマットを選択する。
【００５５】
＜放送・通信及びメディアフォーマットの切替＞
配信方式は、前述した放送配信方式及び通信配信方式と、前述した品質の異なるメディアフォーマットとが混在したものであってもよい。
配信方式選択部１３は、優先度が高い映像コンテンツに対して放送配信方式で且つ高品質メディアフォーマットを選択し、優先度が低い映像コンテンツに対して通信配信方式で且つ低品質メディアフォーマットを選択する。
【００５６】
配信方式選択部１３は、優先度に応じた配信方式の選択順序を、以下のように設定する。
優先度：高  ＲＦ４Ｋ（放送＋４Ｋ）
↓  ＩＰ４Ｋ（通信＋４Ｋ）
↓  ＲＦ２Ｋ（放送＋２Ｋ）
↓  ＩＰ２Ｋ（通信＋２Ｋ）
優先度：低  ＩＰＳＤ（通信＋ＳＤ）
【００５７】
［映像配信部１４］
映像配信部１４は、映像コンテンツ毎に、選択された配信方式によって配信する。
【００５８】
図７は、映像コンテンツの配信方式の変更経過を表す第１の説明図である。
本発明によれば、全ての映像コンテンツについて、ユーザから見て、オール４Ｋ対応しているかのように実現したい。そのために、最初に、全ての映像コンテンツを、ＲＦ４Ｋのチャネル上で配信することを試みる。このようにしても、全ての映像コンテンツをＲＦ４Ｋのチャネル上で配信できるものではない。
図７によれば、優先度が低い映像コンテンツから順に、ＩＰ４Ｋのチャネルへ移行させる。
【００５９】
図８は、映像コンテンツの配信方式の変更経過を表す第２の説明図である。
図８によれば、図７と同様に、優先度が低い映像コンテンツから順に、ＩＰ４Ｋのチャネルへ移行させる。
【００６０】
図９は、映像コンテンツの配信方式の変更経過を表す第３の説明図である。
図９によれば、ＩＰ４Ｋのチャネルに収容できず、且つ、優先度が低い映像コンテンツから順に、ＲＦ２Ｋのチャネルへ移行させる。
【００６１】
図１０は、映像コンテンツの配信方式の変更経過を表す第４の説明図である。
図１０によれば、ＲＦ２Ｋのチャネルに収容できず、且つ、優先度が低い映像コンテンツから順に、ＩＰ２Ｋのチャネルへ移行させる。
【００６２】
図１１は、映像コンテンツの配信方式の変更経過を表す第５の説明図である。
図１１によれば、ＩＰ２Ｋのチャネルに収容できず、且つ、優先度が低い映像コンテンツから順に、ＩＰＳＤのチャネルへ移行させる。
【００６３】
［選局情報配信部１５］
選局情報配信部１５は、各映像コンテンツの選局情報が記述されたＮＩＴ(Network Information Table)を含むＰＳＩ(Program Specific Information)情報を、クライアントへ配信する。選局情報によって、配信方式（放送／通信、８Ｋ／４Ｋ／２Ｋ／ＳＤ、その他の解像度、コーデック、変調度等）は特定される。
【００６４】
セットトップボックス５は、映像配信サーバ１との間で、１つの専用セッションを確立する。このセッションは、全ての映像コンテンツに関する選局情報を配信するためのものであり、映像コンテンツ自体を送信するチャネルのセッションとは別のものである。
【００６５】
映像配信サーバ１は、全ての映像コンテンツにおける選局情報を含む「ＰＳＩ(Program Specific Information)情報（伝送制御信号）」を、先に確立した専用セッションを介して、セットトップボックス５へ逐次配信する。セットトップボックス５は、ＰＳＩ情報のＮＩＴを受信することによって、各映像コンテンツがいずれの配信方式で配信されているかを知ることができる。
【００６６】
ＰＳＩ情報には、「選局情報」として、以下のテーブルが規定されている。
ＰＡＴ(Program Association Table)：TS->programの関係を示すテーブル
ＰＭＴ(Program Map Table)：program->ESの関係を示すテーブル
ＣＡＴ(Conditional Access Table)：限定受信制御関連の情報を示すテーブル
ＮＩＴ(Network Information Table)：network->TSの関係を示すテーブル
【００６７】
ＮＩＴには、放送配信方式の場合、放送方式（地上波／ＢＳ・ＣＳ）とそのチャネル番号とが記述される。また、通信配信方式の場合、ＣＤＮ(Content Delivery Network)のサーバ又はルータのアドレス（及びポート番号）が記述される。
【００６８】
セットトップボックス５は、ＮＩＴを記憶すると共に、新たに受信したＮＩＴと比較して、配信方式が更新されたか否かを判定する。配信方式が更新された場合、視聴中の映像コンテンツについては、新たなチャネルへ切り替える。通信配信方式の場合、新たなアドレスへ向けてセッションを確立し、その映像コンテンツの受信を開始する。
【００６９】
［視聴者満足度算出部１６］
視聴者満足度とは、全ての映像コンテンツが４Ｋで配信されている場合に、上限の満点とする。視聴者満足度とは、複数の映像コンテンツを視聴している多数のユーザにおけるＱｏＥ(Quality of Experience、ユーザ体感品質）を意味する。
【００７０】
配信方式毎に、基準点が、以下のように対応付けられているとする。
（配信方式）    （基準点）  （ビットレート例）
ＲＦ８Ｋ        ３０点        120Mbps
ＲＦ４Ｋ          ８点        32Mbps
ＩＰ４Ｋ          ７点        28Mbps
ＲＦ２Ｋ          ５点        20Mbps
ＩＰ２Ｋ          ４点        16Mbps
ＩＰＳＤ          １点        4Mbps
基準点の比率は、例えば配信方式のビットレートの比率と同じであってもよい。これによって、全体的に高い品質の配信方式で配信しているにも拘わらず、視聴者満足度が低くなるようなことがない。
【００７１】
視聴者満足度算出部１６は、最高評価点に対する現状評価点の割合を、視聴者満足度として算出する。
最高評価点とは、全ての映像コンテンツにおける視聴状況情報の合計値に最高基準点を乗算した点数をいう。
現状評価点とは、各映像コンテンツにおける視聴状況情報に当該映像コンテンツに対応する基準点を乗算した乗算値の全ての映像コンテンツの合計となる点数をいう。
「視聴状況情報＝視聴率」とした場合、視聴者満足度は、具体的には、以下の式によって表される。
視聴者満足度＝現状評価点／最高評価点
現状評価点
＝Σi=1n（配信方式iの全ての映像コンテンツの視聴率×配信方式iの基準点）
最高評価点＝全ての配信方式Σiの視聴率総和×最高基準点
【００７２】
図１２は、視聴者満足度の算出方法を表す説明図である。
【００７３】
図１２によれば、４Ｋ／２Ｋ／ＳＤの３段階で表している。
４Ｋの現状評価点＝全ての映像コンテンツの視聴率30(%)×基準点8点
＝240点
２Ｋの現状評価点＝全ての映像コンテンツの視聴率15.5(%)×基準点5点
＝77.5点
ＳＤの現状評価点＝全ての映像コンテンツの視聴率5.5(%)×基準点1点
＝5.5点
現状評価点＝240点＋77.5点＋5.5点
＝323点
最高評価点＝全ての配信方式Σiの視聴率総和×最高基準点
＝（30(%)＋15.5(%)＋5.5(%)）×8点
＝408点
視聴者満足度＝現状評価点／最高評価点
＝323点／408点
＝79.2点
図１２の場合、視聴者満足度＝79.2点と算出される。
【００７４】
図１３は、視聴者満足度に基づく配信方式の更新タイミングを表す説明図である。
【００７５】
配信方式選択部１３は、視聴者満足度が所定条件で変化した際に、各映像コンテンツの配信方式を選択する。図１３によれば、視聴者満足度が所定閾値以下となった場合に、配信方式を更新する。
前述した図７〜図１１のように映像コンテンツの配信方式を組み入れていくことによって、視聴者満足度が常に最大点数となるようにすることができる。
【００７６】
本来、短い時間間隔で、配信方式を更新して切り替えることは、視聴者満足度を高める観点から好ましい。一方で、配信方式の組み替え回数が多くなり、映像配信サーバ１の処理負荷のみならず、セットトップボックス５のチャネル切替の処理負荷も高くなる。
そのために、具体的には、視聴者満足度の低下を最大値から１０％以内を許容範囲として、配信方式の更新時間間隔をシミュレーションした結果、更新時間間隔１２０秒であり、視聴者満足度の更新閾値は２０点低下した場合が最適であると算出された。
【００７７】
また、他の実施形態として、配信方式選択部１３は、所定条件として、第１の時点の視聴者満足度と、連続する第２の時点の視聴者満足度との差分絶対値が、所定閾値以上となった際に、各映像コンテンツの配信方式を更新することも好ましい。
【００７８】
以上、詳細に説明したように、本発明映像配信サーバ、プログラム及び方法によれば、映像コンテンツを視聴状況に応じた配信方式で配信することができる。
【００７９】
本発明によれば、映像コンテンツ毎に配信方式（放送通信の切替、及び／又はメディアフォーマットの切替）を予め設定するのでなく、ユーザの視聴状況に応じて映像コンテンツの配信方式を切り替えることができる。
即ち、伝送帯域の効率的利用を考慮して、多数のユーザに視聴されている映像コンテンツほど、放送経路を介してブロードキャストで配信され、逆に、少数のユーザにしか視聴されていない映像コンテンツほど、通信経路を介して配信される。
また、通信経路を介して、多数のユーザに視聴されている映像コンテンツほど、放送波によって配信することによって、伝送帯域の効率的利用を実現することができる。
【００８０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８１】
１  映像配信サーバ
１１  視聴率状況取得部
１２  映像優先度算出部
１３  配信方式選択部
１４  映像配信部
１５  選局情報配信部
１６  視聴者満足度算出部
２  放送配信装置
３  通信配信装置
４  映像データベース
５  セットトップボックス、クライアント
６  視聴率管理装置
７  伝送路輻輳管理装置
【図１】
2020010101.tif 000003
【図２】
2020010101.tif 000004
【図３】
2020010101.tif 000005
【図４】
2020010101.tif 000006
【図５】
2020010101.tif 000007
【図６】
2020010101.tif 000008
【図７】
2020010101.tif 000009
【図８】
2020010101.tif 000010
【図９】
2020010101.tif 000011
【図１０】
2020010101.tif 000012
【図１１】
2020010101.tif 000013
【図１２】
2020010101.tif 000014
【図１３】
2020010101.tif 000015
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
映像コンテンツを、異なる配信方式で、複数のクライアントへ送信可能な映像配信サーバにおいて、
映像コンテンツ毎に、複数のクライアントにおける視聴状況情報を取得する視聴状況取得手段と、
各映像コンテンツを、当該映像コンテンツの視聴状況情報に基づいて優先度順にソートする映像優先度算出手段と、
映像コンテンツ毎に、各映像コンテンツの優先度に応じて、前記配信方式を選択する配信方式選択手段と、
映像コンテンツ毎に、選択された前記配信方式によって配信する映像配信手段と、
前記配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段と
を有し、
前記映像優先度算出手段及び前記配信方式選択手段は、前記視聴者満足度が所定条件で変化した際に、各映像コンテンツの配信方式を更新する
ことを特徴とする映像配信サーバ。
【請求項２】
前記視聴状況情報は、各映像コンテンツの視聴率及び／又は視聴時間に基づく
ことを特徴とする請求項１に記載の映像配信サーバ。
【請求項３】
映像コンテンツの属性毎に、視聴状況情報を予め対応付けており、
前記視聴状況情報は、各映像コンテンツの属性に基づく
ことを特徴とする請求項１又は２に記載の映像配信サーバ。
【請求項４】
当該映像配信サーバから各クライアントへの所定伝送路の輻輳状態毎に、視聴状況情報を予め対応付けており、
前記視聴状況情報は、各映像コンテンツの所定伝送路の輻輳状態に基づく
ことを特徴とする請求項１から３のいずれか１項に記載の映像配信サーバ。
【請求項５】
前記視聴状況情報は、各映像コンテンツの配信緊急度に基づく
ことを特徴とする請求項１から４のいずれか１項に記載の映像配信サーバ。
【請求項６】
前記配信方式は、放送配信方式及び通信配信方式であり、
前記配信方式選択手段は、所定条件で、優先度が高い映像コンテンツに対して放送配信方式を選択し、優先度が低い映像コンテンツに対して通信配信方式を選択する
ことを特徴とする請求項１から５のいずれか１項に記載の映像配信サーバ。
【請求項７】
前記配信方式は、品質の異なるメディアフォーマットであり、
前記配信方式選択手段は、所定条件で、優先度が高い映像コンテンツに対して高品質メディアフォーマットを選択し、優先度が低い映像コンテンツに対して低品質メディアフォーマットを選択する
ことを特徴とする請求項１から５のいずれか１項に記載の映像配信サーバ。
【請求項８】
前記配信方式は、放送配信方式及び通信配信方式と、品質の異なるメディアフォーマットとが混在したものであり、
前記配信方式選択手段は、所定条件で、優先度が高い映像コンテンツに対して放送配信方式で且つ高品質メディアフォーマットを選択し、優先度が低い映像コンテンツに対して通信配信方式で且つ低品質メディアフォーマットを選択する
ことを特徴とする請求項１から５のいずれか１項に記載の映像配信サーバ。
【請求項９】
前記放送配信方式は、ブロードキャスト方式であり、
前記通信配信方式は、マルチキャスト方式及び／又はユニキャスト方式である
ことを特徴とする請求項６又は８に記載の映像配信サーバ。
【請求項１０】
前記ブロードキャスト方式は、広域無線放送方式であり、
前記マルチキャスト方式及び／又はユニキャスト方式は、ＩＰ(Internet Protocol)通信方式である
ことを特徴とする請求項９に記載の映像配信サーバ。
【請求項１１】
前記メディアフォーマットは、解像度、コーデック、変調度のいずれか１つ以上の異なるものである
ことを特徴とする請求項７又は８のいずれか１項に記載の映像配信サーバ。
【請求項１２】
前記配信方式は、選局情報によって特定されるものであり、
各映像コンテンツの選局情報が記述されたＮＩＴ(Network Information Table)を含むＰＳＩ(Program Specific Information)情報を、クライアントへ配信する選局情報配信手段を
更に有することを特徴とする請求項６から１１のいずれか１項に記載の映像配信サーバ。
【請求項１３】
前記配信方式選択手段は、前記所定条件として、第１の時点の視聴者満足度と、連続する第２の時点の視聴者満足度との差分絶対値が、所定閾値以上となった際に、各映像コンテンツの配信方式を更新する
ことを特徴とする請求項１から１２のいずれか１項に記載の映像配信サーバ。
【請求項１４】
映像コンテンツを、異なる配信方式で、複数のクライアントへ送信可能なサーバに搭載されたコンピュータを機能させるプログラムにおいて、
映像コンテンツ毎に、複数のクライアントにおける視聴状況情報を取得する視聴状況取得手段と、
各映像コンテンツを、当該映像コンテンツの視聴状況情報に基づいて優先度順にソートする映像優先度算出手段と、
映像コンテンツ毎に、各映像コンテンツの優先度に応じて、前記配信方式を選択する配信方式選択手段と、
映像コンテンツ毎に、選択された前記配信方式によって配信する映像配信手段と、
前記配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段と
してコンピュータを機能させ、
前記映像優先度算出手段及び前記配信方式選択手段は、前記視聴者満足度が所定条件で変化した際に、各映像コンテンツの配信方式を更新する
ようにコンピュータを機能させる
ことを特徴とする映像配信プログラム。
【請求項１５】
映像コンテンツを、異なる配信方式で、複数のクライアントへ送信可能な装置の映像配信装置において、
前記装置は、
映像コンテンツ毎に、複数のクライアントにおける視聴状況情報を取得する第１のステップと、
各映像コンテンツを、当該映像コンテンツの視聴状況情報に基づいて優先度順にソートする第２のステップと、
映像コンテンツ毎に、各映像コンテンツの優先度に応じて、前記配信方式を選択する第３のステップと、
映像コンテンツ毎に、選択された前記配信方式によって配信する第４のステップと
を実行し、
前記配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出し、
第２のステップ及び第３のステップを、前記視聴者満足度が所定条件で変化した際に、各映像コンテンツの配信方式を更新するように実行する
ことを特徴とする装置の映像配信方法。
【手続補正２】
【補正対象書類名】明細書
【補正対象項目名】００１０
【補正方法】変更
【補正の内容】
【００１０】
本発明によれば、映像コンテンツを、異なる配信方式で、複数のクライアントへ送信可能な映像配信サーバにおいて、
映像コンテンツ毎に、複数のクライアントにおける視聴状況情報を取得する視聴状況取得手段と、
各映像コンテンツを、当該映像コンテンツの視聴状況情報に基づいて優先度順にソートする映像優先度算出手段と、
映像コンテンツ毎に、各映像コンテンツの優先度に応じて、配信方式を選択する配信方式選択手段と、
映像コンテンツ毎に、選択された配信方式によって配信する映像配信手段と、
配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段と
を有し、
映像優先度算出手段及び配信方式選択手段は、視聴者満足度が所定条件で変化した際に、各映像コンテンツの配信方式を更新する
ことを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２４
【補正方法】変更
【補正の内容】
【００２４】
本発明によれば、映像コンテンツを、異なる配信方式で、複数のクライアントへ送信可能なサーバに搭載されたコンピュータを機能させるプログラムにおいて、
映像コンテンツ毎に、複数のクライアントにおける視聴状況情報を取得する視聴状況取得手段と、
各映像コンテンツを、当該映像コンテンツの視聴状況情報に基づいて優先度順にソートする映像優先度算出手段と、
映像コンテンツ毎に、各映像コンテンツの優先度に応じて、配信方式を選択する配信方式選択手段と、
映像コンテンツ毎に、選択された配信方式によって配信する映像配信手段と、
配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出する視聴者満足度算出手段と
してコンピュータを機能させ、
映像優先度算出手段及び配信方式選択手段は、視聴者満足度が所定条件で変化した際に、各映像コンテンツの配信方式を更新する
ようにコンピュータを機能させる
ことを特徴とする。
【手続補正５】
【補正対象書類名】明細書
【補正対象項目名】００２５
【補正方法】変更
【補正の内容】
【００２５】
本発明によれば、映像コンテンツを、異なる配信方式で、複数のクライアントへ送信可能な装置の映像配信装置において、
装置は、
映像コンテンツ毎に、複数のクライアントにおける視聴状況情報を取得する第１のステップと、
各映像コンテンツを、当該映像コンテンツの視聴状況情報に基づいて優先度順にソートする第２のステップと、
映像コンテンツ毎に、各映像コンテンツの優先度に応じて、配信方式を選択する第３のステップと、
映像コンテンツ毎に、選択された配信方式によって配信する第４のステップと
を実行し、
配信方式毎に基準点が対応付けられており、全ての映像コンテンツにおける視聴状況情報の合計値に最高基準点を乗算した最高評価点に対して、各映像コンテンツにおける視聴状況情報に当該映像コンテンツに対応する基準点を乗算した乗算値の全ての映像コンテンツの合計となる現状評価点の割合を、視聴者満足度として算出し、
第２のステップ及び第３のステップを、視聴者満足度が所定条件で変化した際に、各映像コンテンツの配信方式を更新するように実行する
ことを特徴とする。